【手続補正書】
【提出日】平成19年9月14日(2007.9.14)
【手続補正１】
【補正対象書類名】明細書
【補正対象項目名】発明の名称
【補正方法】変更
【補正の内容】
【発明の名称】通話方法
【手続補正２】
【補正対象書類名】明細書
【補正対象項目名】特許請求の範囲
【補正方法】変更
【補正の内容】
【特許請求の範囲】
【請求項１】  表示装置と音声通話手段とを備えた通信端末装置と、音声及びその他のデジタル情報を伝達する通信ネットワークと、この通信ネットワークに接続されたサーバと、を用いた通話方法において、
前記サーバは、音声通話の通話先ごとに対応して、配信対象とする広告情報をあらかじめ格納し、
音声通話をしようとする通話先を前記通信端末装置から前記サーバへ通知する第１のステップと、通知された通話先に対応する広告情報について前記サーバから前記通信端末装置へ配信を開始する第２のステップと、を含む通知配信セッションに続いて、
前記通信ネットワークが、前記通信端末装置と前記通話先との音声通話を開始させ、
通話先が、どの発信者に対してどのような内容の広告情報を配信するかを表す配信指定情報を登録し、
通話先及び発信者及び通話先又は発信者に指定された者が、認証のうえ前記配信指定情報の編集を許されることを特徴とする通話方法。
【手続補正３】
【補正対象書類名】明細書
【補正対象項目名】０００４
【補正方法】変更
【補正の内容】
【０００４】
本発明は、上記のような問題点を解決するために提案されたもので、その目的は、双方向性というデジタルネットワークの特性を活用することで、より効果的な広告を実現する広告付き通話の技術、すなわち通話方法を提供することである。
【手続補正４】
【補正対象書類名】明細書
【補正対象項目名】０００５
【補正方法】変更
【補正の内容】
【０００５】
【課題を解決するための手段】
上記の目的を達成するため、本発明は、表示装置と音声通話手段とを備えた通信端末装置と、音声及びその他のデジタル情報を伝達する通信ネットワークと、この通信ネットワークに接続されたサーバと、を用いた通話方法において、前記サーバは、音声通話の通話先ごとに対応して、配信対象とする広告情報をあらかじめ格納し、音声通話をしようとする通話先を前記通信端末装置から前記サーバへ通知する第１のステップと、通知された通話先に対応する広告情報について前記サーバから前記通信端末装置へ配信を開始する第２のステップと、を含む通知配信セッションに続いて、前記通信ネットワークが、前記通信端末装置と前記通話先との音声通話を開始させ、
通話先が、どの発信者に対してどのような内容の広告情報を配信するかを表す配信指定情報を登録し、通話先及び発信者及び通話先又は発信者に指定された者が、認証のうえ前記配信指定情報の編集を許されることを特徴とする。
本発明では、通話先に応じて異なった広告情報を通信端末装置や通話先へ配信できるので、聴覚のみの広告案内に比べ、広告効果の高い広告案内が可能となる。なお、本発明における広告情報は、狭義の商業広告には限定されず、意見広告や各種公告類を含む。また、通話しようとする通話先に対応した広告テキスト画面のような配信情報が、サーバからデータ通信により通信端末装置へ配信されるので、通話利用者は通話先に関連ある情報を入手でき、広告提供者は対象を絞った情報提供が可能となり、両者それぞれにメリットが享受できる。また、通信端末装置は、固定式の一般加入電話だけでなく、携帯電話、ＰＨＳなどの移動端末も含む。
加えて、本発明では、広告を配信する相手ごとに配信内容をカスタマイズできるだけでなく、登録されている情報内容をデータ管理者はもとより、通話先や発信者やこれらに関係する代理人などの第三者においても認証を条件にいつでも編集できるので、通話先や発信者の自主的意向を尊重したサービスが可能となる。
ここで、広告情報やデータ通信の具体的形式は自由であるが、典型的には、配信情報は例えばＨＴＭＬ等をはじめとするデータ記述言語で記述し、データ通信は、ＴＣＰ／ＩＰ等をはじめとするデータ通信手順（プロトコル）により実現する。また、サーバの設置場所は自由であり、携帯電話網内だけでなくインターネット上に設けることもできる。また、通信端末装置とサーバとのやり取りとしては、例えばテンキー入力又は電子電話帳から選択された電話番号をサーバへ送信し、サーバ側で受信した電話番号に、対応する広告などの配信情報を付加して通信端末装置へ返信し、通信端末装置からはこの配信情報を伴う電話番号を受信した上で、ないしは受信しながら、所定の形式で通信ネットワークに音声通話用の発呼を行うことにより、連絡先と所定時間分の無料音声通話を行う。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】削除
【補正の内容】
【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】削除
【補正の内容】
【手続補正２５】
【補正対象書類名】明細書
【補正対象項目名】００２６
【補正方法】削除
【補正の内容】
【手続補正２６】
【補正対象書類名】明細書
【補正対象項目名】００２７
【補正方法】削除
【補正の内容】
【手続補正２７】
【補正対象書類名】明細書
【補正対象項目名】００２８
【補正方法】削除
【補正の内容】
【手続補正２８】
【補正対象書類名】明細書
【補正対象項目名】００２９
【補正方法】削除
【補正の内容】
【手続補正２９】
【補正対象書類名】明細書
【補正対象項目名】００７２
【補正方法】変更
【補正の内容】
【００７２】
【発明の効果】
以上説明したように、本発明によれば、双方向性というデジタルネットワークの特性を活用することで、より効果的な広告を実現する広告付き通話の技術、すなわち通話方法を提供することができる。